(57)【特許請求の範囲】
【請求項１】
タイヤバルブ（１）と、
ハウジング（３ａ）内に空気圧測定装置（３ｂ）と送信装置（３ｃ）とを有する車輪電子システム（３）とから成り、
ハウジング（３ａ）は、車輪のリムウェル（２ａ）上に設置するための２つの足部材（３ｄ）を底面に有し、組み立てた状態においてタイヤバルブ（１）のバルブベース（１ａ）の座面上に載る接触面（３ｅ）を後面に有し、前記接触面（３ｅ）は長孔（４）を有し、組み立てた状態において、タイヤバルブ（１）はその長孔を通って突出するタイヤ空気圧制御装置であって、
ハウジング（３ａ）は、接触面（３ｅ）が平面状をなし、この接触面（３ｅ）がバルブベース（１ａ）の座面上において接触面（３ｅ）の長孔（４）の長手方向に沿って直線上を変位可能にされ、この変位によって足部材（３ｄ）をリムウェル（２ａ）の上に載せることが可能であることを特徴とする、タイヤ空気圧制御装置。
【請求項２】
タイヤバルブ（１）と、
ハウジング（３ａ）内に空気圧測定装置（３ｂ）と送信装置（３ｃ）とを有する車輪電子システム（３）とから成り、
ハウジング（３ａ）は、車輪のリムウェル（２ａ）上に設置するための２つの足部材（３ｄ）を底面に有し、組み立てた状態においてタイヤバルブ（１）のバルブベース（１ａ）の座面上に載る接触面（３ｅ）を後面に有し、前記接触面（３ｅ）は長孔（４）を有し、組み立てた状態において、タイヤバルブ（１）はその長孔を通って突出するタイヤ空気圧制御装置であって、
ハウジング（３ａ）は、接触面（３ｅ）がリブ状をなし、この接触面（３ｅ）がバルブベース（１ａ）の座面上において接触面（３ｅ）の長孔（４）の長手方向に沿って直線上を変位可能にされ、この変位によって足部材（３ｄ）をリムウェル（２ａ）の上に載せることが可能であることを特徴とする、タイヤ空気圧制御装置。
【請求項３】
タイヤバルブ（１）が、バルブベース（１ａ）に挿入されて長孔（４）を通って突出する中空ねじ（１ｂ）を有することを特徴とする、請求項１又は２のいずれか一項に記載のタイヤ空気圧制御装置。
【請求項４】
車輪電子システム（３）の接触面（３ｅ）がバルブベース（１ａ）の座面に載せられ、組み立てた状態において、前記座面が車輪電子システム（３）のハウジング（３ａ）の底面に対して傾斜していることを特徴とする、請求項１から３のいずれか一項に記載のタイヤ空気圧制御装置。
【請求項５】
座面が平面であることを特徴とする、請求項１から４のいずれか一項に記載のタイヤ空気圧制御装置。
【請求項６】
足部材（３ｄ）がリブとして形成されることを特徴とする、請求項１から５のいずれか一項に記載のタイヤ空気圧制御装置。
【請求項７】
足部材（３ｄ）がハウジング（３ａ）の両方の長手方向側面に沿って延びることを特徴とする、請求項１から６のいずれか一項に記載のタイヤ空気圧制御装置。
【請求項８】
長孔（４）はハウジングの後ろ側の板状部に配置されることを特徴とする、請求項１から７のいずれか一項に記載のタイヤ空気圧制御装置。
【請求項９】
接触面（３ｅ）がハウジングの底面に対して傾斜していることを特徴とする、請求項１から８のいずれか一項に記載のタイヤ空気圧制御装置。
【請求項１０】
リムウェルと、先行する請求項１〜９のいずれか一項に記載のタイヤ空気圧制御装置とを有する車輪において、車輪電子システムの足部材（３ｄ）はハウジング（３ａ）の長手方向側面に沿って延びる部分でリムウェル（２ａ）上に載っていることを特徴とする、車輪。
【請求項１１】
請求項１〜９のいずれか一項に記載のタイヤ空気圧制御装置に適用される車輪電子システム。
【請求項１２】
請求項１〜９のいずれか一項に記載のタイヤ空気圧制御装置に適用されるタイヤバルブ。
【発明の詳細な説明】
【技術分野】
【０００１】
本発明は、請求項１のプリアンブルに示す特徴を有するタイヤ空気圧制御装置に関するものであり、そのようなタイヤ空気圧制御装置は、欧州特許第０７５１０１７Ｂ１号によって公知である。
【背景技術】
【０００２】
このようなタイヤ空気圧制御装置は、ハウジング内に空気圧測定装置および送信装置とを有する車輪電子システムから成る。車輪電子システムのハウジングは空気式タイヤを装着した車輪のタイヤバルブに取り付けられており、その結果、ハウジングの底側に配置した２つの足部材がリムウェル上に載るようになっている。車輪電子システムのハウジングはその後ろ側に、長孔が形成された接触面を有し、その接触面は、組み立てた状態においてタイヤバルブのバルブベース上に載せられ、その結果、タイヤバルブは長孔を通って突出する。
【０００３】
欧州特許第０７５１０１７Ｂ１号（特許文献１）によって公知のタイヤ空気圧制御装置では、組み立てた状態において接触面が丸いバルブベースに載せられる空洞として形成される。組み立て中に、バルブベース上の車輪電子システムは長孔の方向に回転させることができ、その結果、リムウェルの高さ位置、すなわちリムウェルに対するバルブ本体孔の位置に関わらず、組み立てた状態において、車輪電子システムは常にその足部材をリムウェル上に載せて設置することができる。このように、公知のタイヤ空気圧制御装置は、所与のリムの位置形状の状態（ｇｅｏｍｅｔｒｉｃ  ｃｏｎｄｉｔｉｏｎｓ）に適応することが可能である。このことが重要なのは、形の異なるリムが使用されており、車輪電子システムを、出来る限り普遍的に、タイヤ空気圧制御装置に付属のタイヤバルブで使用できることが望ましいからである。
【０００４】
しかしながら、空洞を有する車輪電子システム用のハウジングとマッチングするバルブベースの製造は複雑で手間がかかる。
【先行技術文献】
【特許文献】
【０００５】
【特許文献１】欧州特許第０７５１０１７Ｂ１号
【発明の概要】
【発明が解決しようとする課題】
【０００６】
したがって、本発明の目的は、より単純で手間がかからず、異なる位置形状のリム（ｒｉｍ  ｇｅｏｍｅｔｒｉｅｓ）に用いることができ、リムウェル上に安定して支持しやすいタイヤ空気圧制御装置の製造方法を提供することである。
【課題を解決するための手段】
【０００７】
この目的は、請求項１に示される特徴を有するタイヤ空気圧制御装置と、そのようなタイヤ空気圧制御装置に適用される請求項１１に記載の車輪電子システムと、請求項１２に記載のタイヤバルブとによって達成される。本発明の有利なさらに発展した形態が従属請求項の要旨である。
【０００８】
本発明によるタイヤ空気圧制御装置において、所与のリムの位置形状（ｒｉｍ  ｇｅｏｍｅｔｒｙ）への適応は、組み立て中にバルブベース上の車輪電子システムを直線的にずらすことによって行うことができる。このようにして、所与のリムのリムウェルの高さ（ｌｅｖｅｌ）にかかわらず、車輪電子システムのハウジングを両方の足部材によってリムウェル上に載せることができる。これによって、本発明によるタイヤ空気圧制御装置は、現在の全ての車両の車輪において、車輪電子システムをバルブベースおよび２つの足部材上に安定して三点支持しやすくし、その点で複雑さと手間とを軽減している。長方形の足部材、例えばハウジングの長手方向側（ｌｏｎｇｉｔｕｄｉｎａｌ  ｓｉｄｅｓ）のリブが用いられる場合、車輪電子システムを両方の足部材によって直線的に、または１つの長方形面によって、リムウェル上に載せることさえ可能である。
【０００９】
好ましくは、車輪電子システムの接触面は平らに形成されるが、これは一番簡単な製造方法だからである。しかしながらこれは、本発明によって、車輪電子システムを長孔方向に配置できるようにするために必須ではない。例えば、接触面は、長孔方向に延びる半円筒の周面として形成することもできるし、長孔と並行に延びるリブや溝から成ってもよい。同様に、変位中に車輪電子システムの接触面が摺動するバルブベースの座面も、好ましくは平らに形成される。
【００１０】
好ましくは、接触面はハウジングの底側に対して傾斜して延びる。ここで、接触面は平面的に形成することができ、または、例えば長孔方向に延びるリブのような構造として形成することができる。
【００１１】
好ましくは、タイヤバルブは、バルブベースに挿入され長孔を通って突出する中空ねじから成る。中空ねじを締め付ける前に、車輪電子システムをバルブベース上で変位させ、タイヤ空気圧制御装置をリムウェルの所与の高さに合わせることができる。中空ねじを締め付けることによって、車輪電子システムはバルブベースに対して圧接され、その結果、摩擦力が運転中の変位を防止する。
【００１２】
本発明の有利なさらに発展した形態として、長孔はハウジングの後ろ側の板状部に配置される。このように、組み立てのために車輪電子システムをバルブベース上で直線的に変位させやすくする接触面を形成することは、特に簡単で費用効果が高い。
【００１３】
本発明のさらなる詳細と利点を、添付の図面を参照しながら、実施例によって説明する。
【図面の簡単な説明】
【００１４】
【図１】リム上に配置された、本発明によるタイヤ空気圧制御装置の一実施例を示す。
【図２】図１に示すタイヤ空気圧制御装置の斜視図である。
【発明を実施するための形態】
【００１５】
図１および２は、リム２上のタイヤバルブ１と、バルブ１に装着された車輪電子システム３とを有するタイヤ空気圧制御装置を示す。車輪電子システム３はハウジング３ａを有し、ハウジング３ａ内には空気圧測定装置３ｂと送信装置３ｃとが配置される。車輪電子システム３から送信される空気圧測定値は、適切な受信装置によって受信・評価することができ、その結果、空気圧低下を車両の運転手に知らせることができる。
【００１６】
図１および２は、タイヤバルブ１と車輪電子システム３を空気式タイヤのリム２と共に示す。ハウジング３ａは、リムウェル２ａ上に載せるリブとして形成される２つの足部材３ｄ（各足部材３ｄはハウジング３ａの前側から後ろ側に向かう長手方向側面（ｌｏｎｇｉｔｕｄｉｎａｌ  ｓｉｄｅｓ）に沿って設けられている）を底側に有し、接触面３ｅを後ろ側に有し、ハウジング３ａは、この接触面３ｅでタイヤバルブ１のバルブベース（ｖａｌｖｅ  ｂａｓｅ、  ｖａｌｖｅ  ｓｐｕｄ）１ａ上に載っている。接触面３ｅは、長孔４を有し、バルブベース１ａに挿入される中空ねじ１ｂが長孔４を通って突出している。中空ねじ１ｂを締め付ける前に、車輪電子システム３の接触面３ｅをバルブベース１ａ上で長孔４方向に直線的に変位させることができる。このように、タイヤ空気圧制御装置は、所与の車輪の位置形状の状態に適応でき、その結果として、ハウジング３ａの両方の長手方向側面に沿って延びる足部材３ｄをリムウェル２ａ上に平らに置くことによって、常に安定した三点支持を実現することができる（図１は、足部材３ｄの接触面３ｅがバルブベース１ａ上を変位している過程であり、未だリムウェル２ａ上に達していない過程を示している）。車輪電子システムの足部材３ｄは、ハウジング３ａの長手方向側面に沿って延びる部分でリムウェル２ａ上に設置される。この足部材３ｄがリムウェル２ａ上に設置される部分は、足部材３ｄの全長にわたり、又は、その一部の長さのみとすることができる。
【００１７】
図示した実施例において、車輪電子システム３の後ろ側の接触面３ｅは、平らであり、ハウジングの底面に対して傾斜している。中空ねじ１ｂを締め付ける前に車輪電子システム３がタイヤバルブ１に対して変位できる方向を、図１に双方向矢印によって示す。
【００１８】
タイヤ空気圧制御装置が組み立てられた状態において、車輪電子システム３の接触面３ｅはバルブベース１ａの座面上に載っており、座面もまた図示の実施例において平らに形成されており、車輪電子システム３のハウジング３ａの底側に対して傾斜しながら延びている。好ましくは、接触面３ｅがその上に載っている状態において座面は平らである。しかしながら、これらの面（バルブベース１ａの座面と接触面３ｅ）のうち一方または両方は、例えば、リブ（ｒｉｂｓ）によって構築することもでき、あるいは車輪電子システム３の位置ずれを防止するために、凸部と溝のように互いに係合することも可能である。車輪電子システム３の直線的な変位を可能にするために、バルブベース１ａの座面又は接触面３ｅが上記のように構築された面の場合には、接触面３ｅの想像線またはそれに当接するバルブベース１ａの座面の想像線がそれぞれ直線であり、この想像線が長孔４の長径と平行に延びるその仮想断面と交わることが有利である。そのように構築された接触面は長孔４の方向に平行配置される。すなわち、その面の一点を幾何学的変位操作によってマップすると、マップされた点のイメージ（ｉｍａｇｅ）は接触面内に位置する。
【００１９】
タイヤ空気圧制御装置は、組み立てた状態において、座面と、長孔４に平行に延びる想像断面との想像交線が直線であってもよい。
【００２０】
図示した実施例において、長孔４はハウジングの後ろ側の板状部に配置される。
【００２１】
好ましくは、接触面３ｅを形成するこの板状部は、ハウジングの後ろ側の中央に配置される。
【００２２】
本発明の有利なさらに発展した形態は、ハウジング３の底側に取り付けられたアダプタを備えており、したがって、リブとして形成される２つの足部材３ｄが必要に応じて下方向に延びている。その結果、リムウェルが非常に低い位置にある場合でも設置が可能である。リムウェルが非常に低い位置にある場合、長孔４の長さによって制限される最大変位距離が足部材３ｄをリムウェル２ａ上に載せるのに十分ではないが、それにもかかわらずアダプタによって安定的な支持が可能になる。アダプタは、不足するかもしれない高さを補い、リムウェル２ａ上の安定的な支持を実現するために用いることができる。
【符号の説明】
【００２３】
１  タイヤバルブ
１ａ  バルブベース
１ｂ  中空ねじ
２  リム
２ａ  リムウェル
３  車輪電子システム
３ａ  ハウジング
３ｂ  空気圧測定装置
３ｃ  送信装置
３ｄ  足部材
３ｅ  接触面
４  長孔
【図１】
0005748045.tif 000002
【図２】
0005748045.tif 000003